(57)【特許請求の範囲】
【請求項１】
原稿画像を読取るためのレンズであって、
物体側に前群、像側に後群を配してなり、
上記前群は、１枚以上の正レンズを含む、２〜４枚のレンズで構成され、
上記後群は、１枚の負レンズにより構成され、
実使用状態におけるバックフォーカスが、レンズ全長の３０％以下であり、
上記前群と後群との空気間隔が、レンズ全長の６５％以上であることを特徴とする原稿読取レンズ。
【請求項２】
請求項１記載の原稿読取レンズにおいて、
後群の入射側面が非球面であることを特徴とする原稿読取レンズ。
【請求項３】
請求項１または２記載の原稿読取レンズにおいて、
後群の像側面が非球面であることを特徴とする原稿読取レンズ。
【請求項４】
請求項１〜３の任意の１に記載の原稿読取レンズにおいて、
後群がプラスチックレンズであることを特徴とする原稿読取レンズ。
【請求項５】
請求項１〜４の任意の１に記載の原稿読取レンズにおいて、
後群の外形形状が、光軸に対して回転対称でないことを特徴とする原稿読取レンズ。
【請求項６】
請求項５記載の原稿読取レンズにおいて、
後群の外形形状が、主走査方向に長い短冊形状であることを特徴とする原稿読取レンズ。
【請求項７】
請求項５または６記載の原稿読取レンズにおいて、
後群がプラスチックレンズであり、位置決め用、もしくは保持用、もしくは固定用の係合部を有することを特徴とする原稿読取レンズ。
【請求項８】
請求項１〜７の任意の１に記載の原稿読取レンズにおいて、
実使用状態におけるバックフォーカスが、レンズ全長の１０％以下であることを特徴とする原稿読取レンズ。
【請求項９】
原稿読取レンズと、
この原稿読取レンズの各レンズを保持し、原稿読取レンズ全体を一体化する保持手段とを有し、
上記原稿読取レンズが請求項１〜８の任意の１に記載の原稿読取レンズであることを特徴とする原稿読取レンズユニット。
【請求項１０】
原稿画像を読取って電気信号化するための原稿読取モジュールであって、
原稿読取レンズと、
この原稿読取レンズにより形成される原稿画像の像をサンプリングし、光電変換する受光素子アレイとを有し、
上記原稿読取レンズが、請求項１〜８の任意の１に記載の原稿読取レンズであることを特徴とする原稿読取モジュール。
【請求項１１】
請求項１０記載の原稿読取モジュールにおいて、
原稿読取レンズの後群と受光素子アレイとを一体化したことを特徴とする原稿読取モジュール。
【請求項１２】
請求項１１記載の原稿読取モジュールにおいて、
原稿読取レンズの、実使用状態におけるバックフォーカスが十分に短く、後群の像側面が、受光素子アレイのパッケージのシールド材を兼ねていることを特徴とする原稿読取モジュール。
【請求項１３】
請求項１１記載の原稿読取モジュールにおいて、
原稿読取レンズの、実使用状態におけるバックフォーカスが実質的に０であり、
受光素子アレイが後群の像側面に直接貼着されていることを特徴とする原稿読取モジュール。
【請求項１４】
請求項１３記載の原稿読取モジュールにおいて、
原稿読取レンズの後群の像側面が非平面であることを特徴とする原稿読取モジュール。
【請求項１５】
請求項１０〜１４の任意の１に記載の原稿読取モジュールにおいて、
原稿読取レンズの全体が、保持手段により一体化され、上記原稿読取レンズと保持手段とが請求項９記載の原稿読取レンズユニットを構成することを特徴とする原稿読取モジュール。
【請求項１６】
請求項１５記載の原稿読取モジュールにおいて、
保持手段が、前群の各レンズを保持する保持部と、後群を取付けられる後群取付け部とを一体に形成されたものであることを特徴とする原稿読取モジュール。
【請求項１７】
請求項１５記載の原稿読取モジュールにおいて、
保持手段が、原稿読取レンズの前群を保持する前群保持手段と、後群を保持する後群保持手段と、これら各保持手段を一体化する連結手段とを有することを特徴とする原稿読取モジュール。
【請求項１８】
請求項１７記載の原稿読取モジュールにおいて、
前群保持手段が、後群保持手段に対して相対的に、光軸方向へ並進変位可能であることを特徴とする原稿読取モジュール。
【請求項１９】
請求項１７記載の原稿読取モジュールにおいて、
前群保持手段が、後群保持手段に対して相対的に、光軸の回りに回転可能であることを特徴とする原稿読取モジュール。
【請求項２０】
請求項１９記載の原稿読取モジュールにおいて、
前群保持手段が、後群保持手段に対して相対的に、光軸方向へ並進変位可能であることを特徴とする原稿読取モジュール。
【請求項２１】
請求項１０〜２０の任意の１に記載の原稿読取モジュールにおいて、
原稿読取レンズの前群と後群との間に光路を屈曲させる折り曲げミラーを有することを特徴とする原稿読取モジュール。
【請求項２２】
請求項１０〜２１の任意の１に記載の原稿読取モジュールにおいて、
原稿読取レンズの前群と後群との間に、像面における主走査方向の像の明るさを補正するためのシェーディング手段を有することを特徴とする原稿読取モジュール。
【請求項２３】
請求項２２記載の原稿読取モジュールにおいて、
シェーディング手段が、所定形状の開口部を有する遮光板であることを特徴とする原稿読取モジュール。
【請求項２４】
請求項２１記載の原稿読取モジュールにおいて、
折り曲げミラーが所定の反射面形状を有し、像面における主走査方向の像の明るさを補正するためのシェーディング手段を兼ねていることを特徴とする原稿読取モジュール。
【請求項２５】
原稿読取レンズによる原稿画像の像を受光素子アレイ上に結像させ、原稿を走査し、原稿画像を読取って電気信号化する原稿読取方法であって、
原稿読取レンズとして請求項１〜８の任意の１に記載の原稿読取レンズを用いることを特徴とする原稿読取方法。
【請求項２６】
原稿読取レンズによる原稿画像の像を受光素子アレイ上に結像させ、原稿を走査しつつ、原稿画像を読取って電気信号化する原稿読取装置であって、
原稿を走査する走査手段と、
受光素子アレイと、
走査される原稿部分からの光束を、上記受光素子アレイ上に結像させる原稿読取レンズと、
上記受光素子アレイの出力信号を信号処理する信号処理手段および、信号処理された信号に対して画像処理を行う画像処理手段とを有し、
上記原稿読取レンズとして、請求項１〜８の任意の１に記載の原稿読取レンズを用いることを特徴とする原稿読取装置。
【請求項２７】
請求項２６記載の原稿読取装置において、
原稿読取レンズが原稿読取レンズユニットとしてユニット化され、ユニット化された原稿読取ユニットが請求項９に記載の原稿読取レンズユニットであることを特徴とする原稿読取装置。
【請求項２８】
請求項２６または２７記載の原稿読取装置において、
原稿読取レンズと受光素子アレイとが原稿読取モジュールとされ、この原稿読取モジュールとして、請求項１０〜２４の任意の１に記載の原稿読取モジュールを用いることを特徴とする原稿読取装置。
【請求項２９】
請求項２６または２７または２８記載の原稿読取装置において、
原稿を走査する走査手段が、
定位置に設けられたコンタクトガラスと、
このコンタクトガラスの表面に接して原稿を走行させる走行手段と、
上記コンタクトガラス上の原稿を主走査方向にわたって照明する照明手段とを有することを特徴とする原稿読取装置。
【請求項３０】
請求項２６または２７または２８記載の原稿読取装置において、
原稿を走査する手段が、
原稿を平面的に定置する原稿ガラスと、
原稿ガラス上に定置された原稿を主走査方向にわたって照明する照明手段と、
この照明手段により照明された原稿部分からの光束を原稿読取レンズへ導光する１群のミラーと、
上記照明手段を副走査方向に変位させると共に、上記１群のミラーを、上記照明手段による照明部から上記原稿読取レンズへの導光の光路長を保って変位させる変位手段とを有することを特徴とする原稿読取装置。
【請求項３１】
請求項２６〜３０の任意の１に記載の原稿読取装置において、
信号処理手段および／または画像処理手段が、読取倍率の調整を電気的に行う機能を有することを特徴とする原稿読取装置。
【請求項３２】
原稿画像を読取って電気信号化する原稿読取装置と、この原稿読取装置により電気信号化された信号情報を出力するための出力手段とを有する画像情報処理装置であって、
原稿読取装置として、請求項２６〜３１の任意の１に記載の原稿読取装置を用いることを特徴とする画像情報処理装置。
【請求項３３】
請求項３２記載の画像情報処理装置において、
出力手段として、画像を表示媒体上にディスプレイするディスプレイ装置を有することを特徴とする画像情報処理装置。
【請求項３４】
請求項３２または３３記載の画像情報処理装置において、
出力手段として、画像情報を電子的な記録媒体に書き込む書込み装置を有することを特徴とする画像情報処理装置。
【請求項３５】
請求項３２または３３または３４記載の画像情報処理装置において、
出力手段として、画像情報を伝送する伝送装置を有することを特徴とする画像情報処理装置。
【請求項３６】
請求項３２〜３５の任意の１に記載の画像情報処理装置において、
出力手段として、画像情報を記録媒体にプリント記録する記録装置を有することを特徴とする画像情報処理装置。
【発明の詳細な説明】
【技術分野】
【０００１】
この発明は、原稿読取レンズ・原稿読取レンズユニット・原稿読取モジュール・原稿読取方法・原稿読取装置・画像情報処理装置に関する。
【背景技術】
【０００２】
原稿読取レンズは、デジタル複写機や各種のスキャナに用いられている。  
原稿読取の密度は、３００ｄｐｉ（１インチあたりのドット数）、４００ｄｐｉから６００ｄｐｉ、さらには１２００ｄｐｉへと高まってきており、それに伴ない、原稿読取レンズにも高い性能が求められるようになってきている。  
原稿読取レンズとして従来から広く知られた「ガウス型」のものは、比較的大口径で高解像度を実現できる。しかし、近来、原稿読取レンズに求められている高性能を実現しようとすると、例えば、特許文献１記載のもののように、少なくとも６枚のレンズを必要とする。一方、特許文献２には、２枚構成で高い性能の実現を意図した原稿読取レンズが記載されている。しかし、２枚構成では達成できる性能に自ずと限界があり、用途も、ファクシミリやイメージスキャナ等、あまり高い読取解像度を要求されないものに限られてしまう。
【０００３】
【特許文献１】特開２０００−１１１７９４
【特許文献２】特開平７―５６０８５号公報
【発明の開示】
【発明が解決しようとする課題】
【０００４】
この発明は、３〜５枚構成と、ガウス型のものに比してレンズ枚数が少なく、なおかつ、ガウス型と同等もしくはそれ以上の性能を有する原稿読取レンズの実現を課題とする。
【課題を解決するための手段】
【０００５】
上記課題を解決するため、この発明において、原稿読取レンズのレンズ枚数を最小で３枚とし、最も像側に配置されるレンズのパワーを「負」とし、かつ、この負のパワーのレンズを像面の近傍に配置する構成とした。  
レンズ枚数を「最小で３枚」とすることにより、諸収差の補正が容易になり、高性能を実現できる。  
即ち、この発明の原稿読取レンズは「原稿画像を読取るためのレンズ」であって、物体側に前群、像側に後群を配してなる。  
「前群」は、１枚以上の正レンズを含む、２〜４枚のレンズで構成される。  
「後群」は、１枚の負レンズにより構成される。  
従って、全構成枚数は３〜５枚となる。  
実使用状態におけるバックフォーカスは、レンズ全長の３０％以下であり、前群と後群との空気間隔は、レンズ全長の６５％以上である（請求項１）。  
上記前群は、２枚のレンズで構成することもできるし、３枚のレンズで構成することもでき、さらには、４枚のレンズにより構成することもできる。
【０００６】
請求項１記載の原稿読取レンズは「全レンズを、球面レンズとして構成する」ことができる。このように全レンズを球面レンズで構成すると、各構成レンズの製造が容易であり、原稿読取レンズを低コストで実現できる。  
勿論、上記請求項１記載の原稿読取レンズにおいて、１面以上のレンズ面を非球面とすることができる。この場合、非球面を「後群の入射側面（物体側面）」に採用することもできるし（請求項２）、「後群の像側面」に採用することもできる（請求項３）。即ち、後群は、その物体側面および／または像側面を非球面とすることができる。  
上記請求項１〜３の任意の１に記載の原稿読取レンズにおいて「後群をプラスチックレンズとする」ことができる（請求項４）。この発明の原稿読取レンズでは、後群が像面の近くに配置されるため、後群の寸法が、前群に比して大きい。
従って、このような大きいレンズをプラスチックで構成することにより、原稿読取レンズの更なる低コスト化が可能になる。また、後群をプラスチックレンズとすると、その物体側面および／または像側面に非球面を採用する場合に、非球面の形成が容易である。
【０００７】
後群は、像面近傍に配置され、像面には、受光素子アレイが配置されるので、後群の外形形状は「光軸に対して回転対称」でなくてよく（請求項５）、この場合、後群の外形形状を「主走査方向に長い短冊形状」とすることができる（請求項６）。ここに、「主走査方向」は、原稿読取レンズと組み合わせられる受光素子アレイにおける受光素子の配列方向を言う。  
後群をプラスチックレンズとする場合「位置決め用、もしくは保持用、もしくは固定用の係合部」を後群の一部に形成することができる（請求項７）。上記係合部は、凸部もしくは凹部である。  
上記請求項１〜７の任意の１に記載の原稿読取レンズにおいて、実使用状態におけるバックフォーカスを「レンズ全長の１０％以下」とすることができる（請求項８）。バックフォーカスは短い方が「収差の補正には有利」である。請求項１記載の原稿読取レンズの「バックフォーカスがレンズ全長の３０％」は、バックフォーカスの上限である。しかし、レンズ全長に対して３０％以内で、ある程度大きいバックフォーカスがあれば、例えば「受光素子アレイの位置を後群に対して調整する調整機構」をバックフォーカス内に配置できる利点がある。  
なお、請求項５〜７に記載の原稿読取レンズでは、後群の外形形状が光軸に関して回転対称ではないが、前群・後群ともに外形形状を光軸に関して回転対称とし、エリアセンサにより原稿の全画面を同時に読取り得るように構成することもできる。
【０００８】
上記請求項１〜８の任意の１に記載の原稿読取レンズにおいて良好な性能を実現するには「前群の焦点距離：ｆFと後群の焦点距離：ｆRのバランス」が重要になる。
【０００９】
これらの焦点距離：ｆFとｆRは、その絶対値が同程度の大きさを有することが好ましく、両者の比：ｆR／ｆFの範囲は、
−１．８＜ｆR／ｆF＜−０．８
であることが好ましい。
【００１０】
この発明の原稿読取レンズユニットは、上に説明した請求項１〜８の任意の１に記載の原稿読取レンズと、この原稿読取レンズの各レンズを保持し、原稿読取レンズ全体を一体化する保持手段とを有する（請求項９）。  
上記「保持手段」は、前群の各レンズを保持する保持部と、後群を取付けられる後群取付け部とを一体に形成されたものであっても良いし、原稿読取レンズの前群を保持する前群保持手段と、後群を保持する後群保持手段と、これら各保持手段を一体化する連結手段とを有するように構成することもできる。この場合、前群保持手段を「後群保持手段に対して相対的に、光軸方向へ並進変位可能および／または光軸の回りに回転可能」とすることができる。前群が光軸方向へ並進変位可能であると、前群の光軸方向への変位により、ピント調整を行うことができる。また、前群が光軸の回りに回転可能であると、前群を回転させることにより、偏心等による像面の傾きを調整することができる。  
上記請求項９記載の原稿読取レンズユニットは、原稿読取レンズの前群と後群との間に「光路を屈曲させる１以上の折り曲げミラー」を有することができる。
このような１以上の折り曲げミラーを用いることにより、原稿読取レンズのレイアウトの自由度が高くなる。
【００１１】
上記原稿読取レンズユニットは、原稿読取レンズの前群と後群との間に「像面における主走査方向の像の明るさを補正するためのシェーディング手段」を有することができる。この場合において、シェーディング手段を「所定形状の開口部を有する遮光板」とすることができる。  
また、上記折り曲げミラーに所定の反射面形状を持たせることにより、折り曲げミラーが「像面における主走査方向の像の明るさを補正するためのシェーディング手段」を兼ねるようにすることができる。  
なお、前述した「エリアセンサを用いて原稿の全画面を一度に読取るような場合には、シェーディング手段は、エリアセンサ上での像の明るさを補正できるようにできる。
【００１２】
この発明の「原稿読取モジュール」は、原稿画像を読取って電気信号化するためのモジュールであって、原稿読取レンズと、受光素子アレイとを有する。  
「原稿読取レンズ」は、前記請求項１〜８の任意の１に記載の原稿読取レンズである。  
「受光素子アレイ」は、原稿読取レンズにより形成される原稿画像の像をサンプリングし、光電変換する（請求項１０）。  
請求項１０記載の原稿読取モジュールは「原稿読取レンズの後群と受光素子アレイとを一体化した構成」とすることができる（請求項１１）。  
請求項１１記載の原稿読取モジュールは、原稿読取レンズの「実使用状態におけるバックフォーカス」が十分に短い場合、後群の像側面が「受光素子アレイのパッケージのシールド材を兼ねる」ことができる（請求項１２）。  
特に、原稿読取レンズの「実使用状態におけるバックフォーカスが実質的に０」である場合、即ち、後群の像側面が像面と合致する場合「受光素子アレイを後群の像側面に直接貼着」して設けることができる（請求項１３）。この請求項１３記載の原稿読取モジュールの場合、原稿読取レンズの後群の像側面が非平面であってもよい（請求項１４）。
【００１３】
上記請求項１０〜１４の任意の１に記載の原稿読取モジュールにおいては「原稿読取レンズの全体を保持手段により一体化し、原稿読取レンズと保持手段とで、請求項９記載の原稿読取レンズユニットを構成するようにすることができる（請求項１５）。この場合、保持手段は「前群の各レンズを保持する保持部と、後群を取付けられる後群取付け部とを一体に形成されたもの」であることも（請求項１６）、「原稿読取レンズの前群を保持する前群保持手段と、後群を保持する後群保持手段と、これら各保持手段を一体化する連結手段とを有する」ものであることもでき（請求項１７）、後者の場合には「前群保持手段を、後群保持手段に対して相対的に、光軸方向へ並進変位可能とする」こともできるし（請求項１８）、「後群保持手段に対して相対的に、光軸の回りに回転可能とする」こともでき（請求項１９）、この請求項１９記載の原稿読取モジュールにおいては「前群保持手段を、後群保持手段に対して相対的に光軸方向へ並進変位可能とする」ことができる（請求項２０）。
【００１４】
上記請求項１０〜２０の任意の１に記載の原稿読取モジュールは「原稿読取レンズの前群と後群との間に光路を屈曲させる折り曲げミラーを有する」ことができ（請求項２１）、「原稿読取レンズの前群と後群との間に、像面における主走査方向の像の明るさを補正するためのシェーディング手段を有する」こともできる（請求項２２）。  
この請求項２２記載の原稿読取モジュールのシェーディング手段は「所定形状の開口部を有する遮光板」であることもできるし（請求項２３）、請求項２１記載の原稿読取モジュールのように、折り曲げミラーを有する場合には、折り曲げミラーの反射面を所定の反射面形状とし、像面における主走査方向の像の明るさを補正するためのシェーディング手段を兼ねるようにすることができる（請求項２４）。
【００１５】
この発明の原稿読取方法は「原稿読取レンズによる原稿画像の像を受光素子アレイ上に結像させ、原稿を走査し、原稿画像を読取って電気信号化する原稿読取方法であって、原稿読取レンズとして請求項１〜８の任意の１に記載の原稿走査レンズを用いることを特徴とする（請求項２５）。  
請求項２５記載の原稿読取方法においては「原稿読取レンズを原稿読取レンズユニットとしてユニット化し、ユニット化された原稿読取ユニットとして、請求項９記載の原稿読取レンズユニットを用いる」ことができる。  
また、上記請求項２５記載の原稿読取方法においては「原稿読取レンズと受光素子アレイとを原稿読取モジュールとし、この原稿読取モジュールとして、請求項１０〜２４の任意の１に記載の原稿読取モジュールを用いる」ことができる。
【００１６】
上記原稿読取方法における原稿の走査は「定位置に設定された原稿照明部において原稿を照明しつつ、原稿照明部に対して原稿を走行させる」ことにより行うこともできるし、「原稿読取レンズから受光素子アレイまでを固定し、照明手段により原稿を主走査方向に照明し、照明手段により照明された原稿部分からの光束を１群のミラーにより原稿読取レンズへ導光し、照明手段を副走査方向に変位させると共に、上記１群のミラーを、照明ランプによる照明部から原稿読取レンズへの導光の光路長を保って変位させる」ことにより行うこともできる。
【００１７】
この発明の原稿読取装置は「原稿読取レンズによる原稿画像の像を受光素子アレイ上に結像させ、原稿を走査しつつ、原稿画像を読取って電気信号化する原稿読取装置」であって、走査手段と、受光素子アレイと、原稿読取レンズと、信号処理手段および画像処理手段を有する（請求項２６）。  
「走査手段」は、原稿を走査する手段である。  
「受光素子アレイ」は、その上に結像される画像をサンプリングして、光電変換する。  「原稿読取レンズ」は、走査される原稿部分からの光束を、受光素子アレイ上に結像させるレンズであり、請求項１〜８の任意の１に記載の原稿読取レンズが用いられる。  
「信号処理手段」は、受光素子アレイの出力信号を信号処理する。  
「画像処理手段」は、信号処理された信号に対して画像処理を行う。
【００１８】
この請求項２６記載の原稿読取装置においては「原稿読取レンズを原稿読取レンズユニットとしてユニット化し、ユニット化された原稿読取ユニットとして請求項９記載の原稿読取レンズユニットを用いる」ことができ（請求項２７）、あるいは「原稿読取レンズと受光素子アレイとを原稿読取モジュールとし、この原稿読取モジュールとして、請求項１０〜２４の任意の１に記載の原稿読取モジュールを用いる」こともできる（請求項２８）。  
上記請求項２６または２７または２８記載の原稿読取装置において、原稿を走査する走査手段を、コンタクトガラスと、走行手段と、照明手段とにより構成することができる（請求項２９）。  
「コンタクトガラス」は、定位置に設けられる。  
「走行手段」は、コンタクトガラスの表面に接して原稿を走行させる。  
「照明手段」は、コンタクトガラス上の原稿を、主走査方向にわたって照明する。
【００１９】
上記請求項２６または２７または２８記載の原稿読取装置における「原稿を走査する手段」はまた、原稿ガラスと、照明手段と、１群のミラーと、変位手段とにより構成することもできる（請求項３０）。  
「原稿ガラス」は、原稿を平面的に定置するためのガラス板である。  
「照明手段」は、原稿ガラスに定置された原稿を主走査方向にわたって照明する手段である。  
「１群のミラー」は、照明手段により照明された原稿部分からの光束を原稿読取レンズへ導光する。  
「変位手段」は、照明手段を副走査方向（主走査方向に直交する方向）に変位させると共に、上記１群のミラーを、照明手段による照明部から原稿読取レンズへの導光の光路長を保って変位させる。  
上記請求項２６〜３０の任意の１に記載の原稿読取装置においては「信号処理手段および／または画像処理手段が、読取倍率の調整を電気的に行う機能を有する」ことができる（請求項３１）。
【００２０】
この発明の画像情報処理装置は「原稿画像を読取って電気信号化する原稿読取装置と、この原稿読取装置により電気信号化された信号情報を出力するための出力手段とを有する画像情報処理装置」であって、原稿読取装置として、請求項２６〜３１の任意の１に記載の原稿読取装置を用いることを特徴とする（請求項３２）。
【００２１】
上記「出力手段」は、画像を表示媒体（ＣＲＴや液晶デイスプレイ、液晶プロジェクタの液晶パネル等）上にディスプレイするディスプレイ装置であることもできるし（請求項３３）、「画像情報を電子的な記録媒体（磁気テープ、磁気ディスクや各種光ディスク）に書き込む書込み装置」であることもでき（請求項３４）、「画像情報を有線や無線の通信形態で伝送する伝送装置（ファクシミリの伝送部分等）であることも（請求項３５）、「画像情報を普通紙やＯＨＰシート（オーバヘッドプロジェクタ用のプラスチックシート等）等の記録媒体にプリント記録する記録装置」であることもできる（請求項３６）。
【００２２】
「出力手段としての記録装置」は、インクジェットプリンタであることもできるし、「電気写真方式の光記録装置」であることもできる。
【００２３】
上記請求項３２記載の画像情報処理装置は、出力手段として上記のものを２以上有することができる。例えば、出力装置として、上記の伝送装置や、書込み装置、記録装置等を有すると、画像情報処理装置は、原稿を読取って画像情報とし、これをフロッピディスク等の磁気ディスクや光ディスクに書込み記録する読取装置としての機能や、読み取った原稿の画像情報を伝送装置により伝送するファクシミリ機能や、読取った画像情報を記録媒体に形成する画像形成装置としての機能等、多機能をもった情報処理装置となる。
【発明の効果】
【００２４】
以上に説明したように、この発明によれば、新規な原稿読取レンズ・原稿読取レンズユニット・原稿読取モジュール・原稿読取方法・原稿読取装置・画像情報処理装置を実現できる。  
この発明の原稿読取レンズは、上記の如く、ガウス型のものに比して少ない枚数のレンズで構成でき、ガウス型の原稿読取レンズと同等以上の性能を実現でき、しかも、安価に実現できる。  
また、この発明の原稿読取レンズユニットは、上記良好な性能を有する原稿読取レンズを一体としてユニット化でき、この発明の原稿読取モジュールは、この発明の原稿読取レンズと受光素子アレイとをモジュールとしてコンパクトに一体化でき、取り扱いや組み込みを容易にすることができる。  
この発明の原稿読取方法・装置は、この発明の原稿読取レンズを用いることにより、良好な性能で原稿画像を読取ることができ、このような原稿読取装置を用いるこの発明の画像情報処理装置は、原稿画像を良好に読取ることにより、良好な書込みや良好な画像形成を実現できる。
【発明を実施するための最良の形態】
【００２５】
図１は、この発明の原稿読取レンズの実施の１形態を示している。  
図１に示す如く、原稿読取レンズは、物体側（図の左方）に前群ＧＦ、像側に後群ＧＲを配してなり、前群ＧＦは「１枚以上の正レンズを含む、３枚のレンズ」で構成され、後群ＧＲは「１枚の負レンズ」により構成される。この実施の形態では、前群の構成枚数は３であるが、後述する実施例に示すように、前群の構成枚数を２とすることもできるし、４とすることもできる。  
図１における距離：Ｂは「実使用状態におけるバックフォーカス（後群ＧＲの像側面と像面ＩＳとの間隔）」であり、距離：Ａは「レンズ全長」、距離：Ｃは「前群ＧＦと後群ＧＲとの空気間隔」である。実使用状態におけるバックフォーカス：Ｂは「レンズ全長：Ａの３０％以下」であり、上記空気間隔：Ｃは「レンズ全長：Ａの５０％以上」である。なお、図１における符号Ｓは絞りを示す。絞りＳは、前群ＧＦの適宜の位置に、適宜の方法で設けられる。  
前群ＧＦは、主として結像作用を分担し、後群ＧＲは、所謂「フィールドフラットナ」としての役割を果たす。
【００２６】
このような原稿読取レンズに「十分な結像性能」を確保するためには、前群ＧＦは２枚以上のレンズから構成されることが必要である。前群を１枚構成とすると、レンズ面に非球面を導入しても、その収差補正能力は限られており、デジタル複写機や「多機能の画像情報処理装置」等の原稿読取レンズとして用いるのに十分な性能を得ることはできない。  
後群ＧＲが「フィールドフラットナ」としての役割を十分に果たすためには、実使用状態におけるバックフォーカス：Ｂは、レンズ全長：Ａの３０％以下である必要がある。  
前群ＧＦが持つ「像面湾曲」を、後群ＧＲで効率良く補正するには、後群ＧＲにおける「軸外の主光線高さ」をなるべく高くする必要があり、そのために、バックフォーカス：Ｂは短い方が望ましい。  
さらに、前群ＧＲの小型化を図るためには、前群ＧＦと後群ＧＲとの空気間隔：Ｃが、レンズ全長：Ａの５０％以上である必要がある。空気間隔：Ｃがレンズ全長：Ａの５０％よりも小さいと「前群ＧＦが大型化」してコストアップを招来する。この発明の原稿読取レンズは、後述する実施例に示すように、上記空気間隔：Ｃが６５％以上である。
【００２７】
上記の如き構成を採ることにより、この発明の原稿読取レンズは、例えば、特許文献１記載のような「６枚構成のガウス型の原稿読取レンズ」と同等もしくはこれを上回る機能・性能を３〜５枚という「より少ない構成枚数」で実現することができ、低コスト化を達成することもできる。
【００２８】
また、後群ＧＲをプラスチックレンズとして構成することにより、より一層の低コスト化を図ることができる。  
この発明の原稿読取レンズは、後群ＧＲを像面ＩＳ近傍に配置するので、後群ＧＲにおける近軸光線高さが小さくなる。このため、後群ＧＲをプラスチック化した場合に「温度変化による後群ＧＲのパワー変動」が大きくなっても、パワー変動の「収差やバックフォーカスへの影響」は小さい。このため、この発明の原稿読取レンズの後群ＧＲはプラスチック化に適している。この発明の原稿読取レンズの「より大口径化・高性能化」のためには、後群ＧＲの少なくとも１面を非球面とすることが望ましい。
【００２９】
後群ＧＲは像面ＩＳに近く、像高ごとの光束が十分に分離して通過するため、後群ＧＲに非球面を導入することにより「軸外収差を効果的に補正する」ことができる。特に、後群ＧＲを「プラスチックの成型品」とする場合、比較的容易に非球面を導入でき、コストアップも殆どない。  
後群ＧＲは、必要に応じ「光軸に関して回転対称でない形状」とすることができる。原稿読取レンズを１次元の受光素子アレイ（ラインセンサ）と組み合わせて用いる場合、後群ＧＲに必要な光線有効範囲は「主走査方向に長く副走査方向に短い帯状の形状」となる。  
このような場合、後群ＧＲの形状は、図２に示すような「円形の一部分を切除した短冊型の外形形状」とすることもできるし、図３に符号ＧＲ’で示すもののように「矩形状の外形形状」を有することもできる。このように後群ＧＲ、ＧＲ’を回転対称でない外形形状とすることは、後群がガラスレンズでも可能であるが、後群をプラスチックの成型品とすることでより容易に実現可能となる。
【００３０】
後群をプラスチックの成型品とする場合には、図４に示す後群ＧＲａように、位置決め用の係合部４１や保持あるいは固定のための係合部４２、４３を設けることも容易である（レンズと一体に成形で形成できる）。  
なお、図２〜図４において、左図は斜視図、右図は光軸方向から見た図である。上に説明したような原稿読取レンズは、前群ＧＦと後群ＧＲとが保持手段により保持されて全体が一体化されて「原稿読取レンズ」となる。  
保持手段を「前群の各レンズを保持する保持部と、後群を取付けられる後群取付け部とを一体に形成されたもの」とする場合の実施の形態については後述することとし、図５には、保持手段が「原稿読取レンズの前群を保持する前群保持手段と、後群を保持する後群保持手段と、これら各保持手段を一体化する連結手段とを有する」場合の実施の形態を示す。  
図５において、前群鏡筒５０は「前群を保持する前群保持手段」である。後群ＧＲａを保持する後群保持手段５１は大略「長方形形状の平板状」であり、長手方向の端部に位置決め用の溝を形成する座部５３、５５を形成され、また、後群ＧＲａを保持固定するための柱状の係合部５７、５９が立設されている。
【００３１】
後群ＧＲａは図４に示した型のものであり、位置決め用の係合部４１を長手方向（主走査方法）の中央部に突設され、長手方向の両側に保持・固定のための係合部４２（図示されず）と係合部４３とが形成されている。  
後群ＧＲａは、上記係合部４１を座部５３、５５の間の溝に嵌め合わせて位置決めされ、保持・固定のための係合部４２、４３を、係合部５７、５９に設けられた板ばね５７ａ、５９ａにより押さえられて、後群保持手段５１に固定されている。
【００３２】
前群ＧＦを保持する前群鏡筒５０は、光軸に対して回転対称な形状に形成され、連結手段５２により保持手段５１の平面部に係止されている。  
即ち、前群鏡筒５０は、連結手段５２により後群保持手段５１に一体化されているわけであるが、前群鏡筒５０は、後群保持手段５１に一体化された状態で、前群ＧＲの光軸に対して回転可能であり、また上記光軸方向へ変位可能である。
【００３３】
このように原稿読取レンズユニットを構成すると、前群ＧＲのみを光軸周りに回転させることにより「レンズ同士の偏心等により発生する像面の傾き」を調整でき、１次元の受光素子アレイ（ラインセンサ）と組み合わせて用いる場合にその効果が大きい。
【００３４】
また、前群ＧＦのみを光軸方向に移動させることで「ピント調整」を行うことができる。この場合、後群を移動させないことにより、特に後群が回転対称な形状でない場合に、図のように「取り付け構造」を簡略化できる。なお、図５に示すように、後群保持手段５１が座部５３、５５を有することにより、後群ＧＲａの幅（副走査方向の厚さ）を薄く設定することができている。  
原稿読取レンズユニットを構成するに当たって、保持手段の形態は種々のものが可能である。また、原稿読取レンズを保持手段により一体化するに際し、保持される原稿読取レンズの形態にも自由度がある。  
例えば、図６（ａ）の実施形態では、前群ＧＦと後群ＧＲとは光軸直線上に配置され、適宜の保持手段６１により一体化されている。図６（ｂ）の実施の形態では、原稿読取レンズの光軸は、前群ＧＦと後群ＧＲとの間において、折り曲げミラーＭにより光路を屈曲された状態で、適宜の保持手段６２により一体化されている。
【００３５】
このように「光路を折り曲げる」ことで、原稿読取装置内におけるレイアウトの自由度が増加する。
【００３６】
結像レンズによる像の明るさは、一般にはコサイン４乗則に従い、像の周辺部に行くほど、明るさが減少する。このことは、原稿読取レンズにおいても例外ではなく、受光手段が位置する像面における原稿像の明るさは、光軸上から周辺に向かって次第に減少する。「明るさの不均一な原稿像」をそのまま読取ると、読取った画像情報で画像を再生したときに、再生画像に「濃度むら」が現われてしまう。  
上記濃度むらの解消は、読取った画像情報を電気的に補正したり、原稿照明部の照度を、中央部から周辺部へ向かって増大するように照度分布を設定したり、結像光束の光路中に所謂シェーディング手段を設けたり、あるいは、これらの方法の２以上を組み合わせて行うことにより可能である。  
この発明の原稿読取レンズは、前群と後群との間が広く空いているので、この部分にシェーディング手段を設けることができ、原稿読取レンズ外の空間部分に、シェーディング手段を設けるための空間を必要としない。  
図７は、原稿読取レンズの前群ＧＦと後群ＧＲａとの間に、像面における主走査方向の像の明るさを補正するためのシェーディング手段７１を有する原稿読取レンズユニットの実施の１形態を示している。
【００３７】
この実施の形態において、シェーディング手段７１は、所定形状（画角の小さい光束部分ほど大きく遮光するような形状）の開口部を有する遮光板（シェーディング補正板）であり、後群保持手段５１に固定されて設けられている。なお、図７において、シェーディング補正板７１を除く部分は、図５の実施の形態と同一である。  
また、図６（ｂ）に示した原稿読取レンズユニットのように、前群ＧＦと後群ＧＲの間において、折り曲げミラーＭにより光路を折り曲げる場合、この折り曲げミラーＭを、例えば図８に示すように反射部ＭＲと、その回りの非反射部ＮＲとで構成し、反射部ＭＲの形状、即ち「反射面形状」を、（画角の小さい光束部分ほど反射面積を小さくするような）所定の形状とすることにより、像面における主走査方向の像の明るさを補正するためのシェーディング手段を兼ねさせることができる。
【００３８】
図９は、この発明の原稿読取モジュールの、実施の１形態を説明図的に示している。原稿読取モジュール９０は「原稿画像を読取って電気信号化する」ためのモジュールであって、原稿読取レンズと、この原稿読取レンズにより形成される原稿画像の像をサンプリングし、光電変換する受光素子アレイＳＡとを、適宜の一体化手段９１により一体化したものである。原稿読取レンズは、先に説明した請求項１〜８の任意の１に記載の原稿読取レンズであり、図９に示すように、前群ＧＦと後群ＧＲとで構成されている。  
受光素子アレイＳＡとしては、周知のＣＣＤやＣＭＯＳセンサ等を用いることができる。これらの受光素子アレイＳＡは「一般に市販される形態」としては、図１０に示すように、基板ＢＳに一体化されたパッケージＰＫ内に設けられ、シールド材であるシールドガラスＳＧにより、パッケージ内部に封止されている。
【００３９】
受光素子アレイＳＡは、その受光面を原稿読取レンズの像面位置に合致させて設けられるが、この発明の原稿読取レンズは、後群が像面に近い位置に配置されるので、図１１に示す実施の形態のように、原稿読取モジュールにおける原稿読取レンズの後群ＧＲと受光素子アレイＳＡとを一体化することができる。
【００４０】
受光素子アレイと後群との一体化の形態には、色々な形態が可能であり、図１１に示す実施の形態では、後群ＧＲの像側面をシールド材（シールドガラス）ＳＧの表面に透明な接着剤１１Ａを用いて接着一体化した例である。  
原稿読取レンズの「実使用状態におけるバックフォーカス」が十分に短い場合は、図１２に示す実施の形態のように、後群ＧＲの像側面が「受光素子アレイＳＡのパッケージＰＫのシールド材」を兼ねるようにすることができる。  
さらに、原稿読取レンズの「実使用状態におけるバックフォーカス」が実質的に０であるような場合には、図１３に示す実施の形態のように、受光素子アレイＳＡ自体を、後群ＧＲの像側面に、接着剤１１Ａを用いて直接貼着することができる。  
図１１〜図１３に示す実施の形態では、原稿読取レンズの後群の像側面は「平面もしくは実質的な平面」であるが、後群の像側面に「受光素子アレイを直接貼着する」場合、図１４に示す実施の形態のように、後群ＧＲの像側面が「非平面」であっても容易に、後群ＧＲと受光素子アレイの一体化を図ることができる。
【００４１】
なお、図１３、図１４における下の図は、上の図を主走査方向（上の図の上下方向）から見た状態を示している。  
図１１〜図１４に示す実施の形態では、受光素子アレイの構造が簡単化されるのでコスト低減に有効である。
【００４２】
勿論、この発明の原稿読取モジュールは、原稿読取レンズの後群と受光素子アレイとを合体により一体化しない構成も可能である。特にバックフォーカスがある程度大きい場合には、後群と受光素子アレイとを合体させる必要性に乏しい。
【００４３】
このように、原稿読取レンズの後群と受光素子アレイとを合体させない場合には、図１５に示す実施の形態のように、原稿読取レンズの後群ＧＲの像側において、受光素子アレイＳＡを、光軸方向へ変位させることにより「ピント調整」を行うことが可能になる。受光素子アレイＳＡの変位によりピント調整を行うようにすれば、前群ＧＦのみを光軸方向に変位させてピント調整を行う場合に比して「ピント調整に伴う読取レンズの性能変動を少なくできる」というメリットがある。  
特に、バックフォーカスが比較的大きい（原稿読取レンズ全長の１０％以上）の場合には、原稿読取レンズの後群ＧＲと受光素子アレイＳＡとの間の空間部分に、受光素子アレイの変位機構を設けることが可能である。なお、図１５において、符号９１は、図９におけると同じく「適宜の一体化手段」を表す。
【００４４】
上に実施の形態を説明した各原稿読取モジュールにおいて、原稿読取レンズと受光素子アレイを「モジュールとして一体化する」方法は任意であるが、以下に説明する実施の形態のように「原稿読取レンズの全体を保持手段により一体化し、原稿読取レンズと保持手段とで原稿読取レンズユニットを構成する」ことができる。  
図１６に示す実施の形態では、前群ＧＦと後群ＧＲａとが、保持手段１６０により保持されて原稿読取レンズユニットを構成し、受光素子アレイＳＡは専用の保持体１７０に保持されている。そして、原稿読取レンズユニットにおける保持手段１６０と保持体１７０とが互いに一体化されている。この場合、保持体１７０を保持手段１６０に対して、原稿読取レンズの光軸方向へ変位可能とすることにより、上述した「受光素子アレイの変位によるピント合わせ」を行うことができる。  
保持手段１６０は、前群ＧＦの各レンズを保持する保持部と、後群ＧＲａを取付けられる後群取付け部とを一体に形成されたものである。  
保持手段１６０は、具体的には、図１７に示す如き構成となっている。
【００４５】
前群の各レンズは、保持部１６１の各レンズ受け部に挿入されて保持され、接着材等で保持部１６１に固定される。また、後群ＧＲａは、図４、図５に即して説明したタイプのものであり、保持手段１６０に保持させる仕方は、図５に示した実施の形態の場合と同様、板ばねを用いて行っている。  
図１６、図１７に示すような構造で、前群ＧＦおよび後群ＧＲａを保持すれば、図５に示す「前群ＧＦが別体の鏡筒５０で保持される場合」に比して、部品数を大幅に減少させることができ、低コスト化が可能となる。  
図１６、図１７に示す実施の形態における保持手段１６０は、原稿読取レンズユニットの保持手段として「前群ＧＦの各レンズを保持する保持部１６１と、後群ＧＲを取付けられる後群取付け部とを一体に形成されたもの」の例である。  
勿論、原稿読取モジュールにおいて、原稿読取レンズを保持手段で一体化した原稿読取レンズユニットを用いる場合、原稿読取レンズユニットの形態としては、先に図５〜図８に即して説明したような、各種の形態が可能である。
【００４６】
例えば、原稿読取モジュールの一部をなす原稿読取レンズユニットの保持手段として、例えば、図５や図７に示した保持手段のように、原稿読取レンズの前群ＧＦを保持する前群保持手段５０と、後群ＧＲａを保持する後群保持手段５１と、これら各保持手段を一体化する連結手段５２とを有するように構成することもできる。この場合、前群保持手段５０は、後群保持手段５１に対して相対的に、光軸方向へ並進変位可能であることも、光軸の回りに回転可能であることもできるのである。  
また、原稿読取レンズユニットとして、図６（ｂ）に示す実施の形態のように、原稿読取レンズの前群ＧＦと後群ＧＲとの間に光路を屈曲させる折り曲げミラーＭを有するものを用いることもできるし、図７に示した実施の形態のように、原稿読取レンズの前群ＧＦと後群ＧＲａとの間に、像面における主走査方向の像の明るさを補正するためのシェーディング手段７１を有することもできる。シェーディング手段は、この場合のように「所定形状の開口部を有する遮光板」であることもできるし、図８に即して説明したように「折り曲げミラーＭが所定の反射面形状を有し、像面における主走査方向の像の明るさを補正するためのシェーディング手段を兼ねる」こともできる。
【００４７】
以下、図１８及び図１９を参照して、原稿読取装置の実施の形態を２例説明する。  
原稿読取装置は、原稿読取レンズＯＲＬによる原稿画像の像を受光素子アレイＳＡ上に結像させ、原稿ＯＲを走査しつつ、原稿画像を読取って電気信号化する原稿読取装置であって、原稿を走査する走査手段と、受光素子アレイＳＡと、走査される原稿部分からの光束を、受光素子アレイ上に結像させる原稿読取レンズＯＲＬと、受光素子アレイＳＡの出力信号を信号処理する信号処理手段１８５および、信号処理された信号に対して画像処理を行う画像処理手段１８６とを有する。そして、原稿読取レンズＯＲＬとしては、前記請求項１〜８の任意の１に記載の原稿読取レンズが用いられる。  
図１８に実施の形態を示す原稿読取装置は、原稿を走査する走査手段が、定位置に設けられたコンタクトガラス１８０と、このコンタクトガラスの表面に接して原稿を走行させる走行手段と、コンタクトガラス１８０上の原稿を主走査方向にわたって照明する照明手段とを有する。
【００４８】
搬送ローラ１８１、１８２は、図示されないモータにより駆動されて定速回転する。原稿画像を読取られるべき原稿ＯＲは、搬送ローラ１８１、１８２により、コンタクトガラス１８０の上面に接触した状態で矢印方向に搬送され、コンタクトガラス１８０上を定速度で走行する。符号１８０Ａで示す押さえ板は、走行する原稿ＯＲの原稿面がコンタクトガラス１８０の上面から浮き上がらないようにする。これら、搬送ローラ１８１、１８２と、押さえ板１８１Ａと、図示されないモータとは「走行手段」を構成する。  
符号ＬＰで示す照明ランプは「照明手段」であり、コンタクトガラス１８０上を走行する原稿を主走査方向（図面に直交する方向）にわたって照明する。  
即ち、原稿ＯＲの走査は、定位置（コンタクトガラス１８０上）に設定された原稿照明部において原稿ＯＲを照明しつつ、原稿照明部に対して原稿を走行させることにより行われる。  
原稿照明部において、原稿画像面で反射された光束は、反射鏡１８３により光路を折り曲げられて原稿読取レンズＯＲＬに導かれ、受光素子アレイＳＡ上に原稿画像（縮小像）が結像する。受光素子アレイＳＡは、原稿ＯＲの走行に共ない、光電変換出力を繰り返し出力する。この出力は信号処理手段１８６において「Ａ／Ｄ変換等の信号処理」を受け、画像処理手段１８６に入力する。画像処理手段１８６は、入力される画像情報信号を処理して、出力に適した信号形態とする。
【００４９】
画像処理手段は、コンピュータ等として実現できる。なお、反射鏡１８３は、原稿読取装置のレイアウトによっては省略しても良いし、逆にレイアウト次第で２以上の反射鏡を用いて、照明部からの光束を原稿読取レンズＯＲＬに導光しても良い。  
図１９に実施の形態を示す原稿読取装置では、原稿を走査する手段が、原稿ＯＲを平面的に定置する原稿ガラス１９０と、原稿ガラス１９０上に定置された原稿を主走査方向（図面に直交する方向）にわたって照明する照明手段ＬＰと、この照明手段ＬＰにより照明された原稿部分からの光束を原稿読取レンズへ導光する１群のミラー１９１、１９２、１９３と、照明手段ＬＰを副走査方向（図の左右方向）に変位させると共に、１群のミラー１９１、１９２、１９３を、照明手段ＬＰによる照明部から原稿読取レンズＯＲＬへの「導光の光路長」を保って変位させる変位手段とを有する。
【００５０】
照明手段ＬＰは照明ランプである。  
原稿の読取を行うときには、原稿ＯＲを、読取るべき原稿画像を有する面を下にして、原稿ガラス１９０上に平面的に定置する。この状態で読取を指令すると、照明ランプＬＰが発光して原稿ＯＲを主走査方向に長く照明しつつ、図の右方へ一定速度：Ｖで移動して、原稿ＯＲを照明走査する。  
原稿読取レンズＯＲＬから受光素子アレイＳＡまでは固定されている。照明ランプＬＰの移動と一体になって、ミラー１９１が図の右方へ定速度：Ｖで変位する。  
同時に、ミラー１９２および１９３は一体となって、図の右方へ一定速度：Ｖ／２で変位する。  
照明ランプＬＰにより照明された原稿部分からの光束は、ミラー１９１、１９２、１９３により順次に反射され、原稿読取レンズＯＲＬへ導光される。このとき、原稿面から原稿読取レンズＯＲＬに至る「導光の光路長」は不変である。  
原稿読取レンズＯＲＬは、原稿像を受光素子アレイＳＡ上に結像する。  
照明手段ランプＬＰと１群のミラー１９１〜１９３を「照明ランプＬＰによる照明部から原稿読取レンズＯＲＬへの導光の光路長」を保って変位させる変位手段としては、従来からこの種の現像読取装置に関連して知られた適宜のものを用いることができる。
【００５１】
受光素子アレイＳＡによる読取と信号処理・画像処理のプロセスは、図１８に示した実施の形態の場合と同様である。  
従って、図１８および図１９に実施の形態を示す原稿読取装置によれば、原稿読取レンズＯＲＬによる原稿画像の像を受光素子アレイＳＡ上に結像させ、原稿ＯＲを走査し、原稿画像を読取って電気信号化する原稿読取方法が、前記請求項１〜８の任意の１に記載の原稿読取レンズを用いて行われることになる。  
図１８、図１９の原稿読取装置における原稿読み取りレンズＯＲＬは、前記請求項９記載の原稿読取レンズユニットとしてユニット化してもよいし、さらには、原稿読取レンズＯＲＬと受光素子アレイＳＡとを、前記請求項１０〜２４の任意の１に記載の原稿読取モジュールとしてモジュール化してもよい。  
また、信号処理手段１８５および／または画像処理手段１８６が「読取倍率の調整を電気的に行う機能」を有するように構成することができる。このように、読取倍率の調整を電気的に行うようにすると、同調整を光学的に行わなくともよくなるので、ピント調整時に読取倍率を考慮する必要がなくなるため、調整機構や調整工程の簡略化を図ることができる。
【００５２】
図２０は、この発明の「画像情報処理装置」の実施の１形態を、説明図的に示している。この発明の画像情報処理装置は、原稿画像を読取って電気信号化する原稿読取装置と、この原稿読取装置により電気信号化された信号情報を出力するための出力手段１８７とを有する画像情報処理装置であって、原稿読取装置として、上に説明した請求項２６〜３１の任意の１に記載の原稿読取装置を用いることを特徴とするものであり、図２０に示す実施の形態においては、原稿読取装置として「図１９に実施の形態を示したもの」を用いている。勿論、原稿読取装置として「図１８に実施の形態を示したもの」を用いても良いことは言うまでもない。
【００５３】
出力手段１８７としては、前述したように、各種のもの、例えば「画像を表示媒体上にディスプレイするディスプレイ装置」や、「画像情報を電子的な記録媒体に書き込む書込み装置」、さらには、「画像情報を伝送する伝送装置」、「画像情報を記録媒体にプリント記録する記録装置」等であることができ、記録装置は「インクジェットプリンタ」や「電気写真方式の光記録装置」等であることができる。そして、画像情報処理装置は、出力手段１８７として、これら各種のものの２以上を有していても良い。
【００５４】
図２１に画像情報処理装置の実施の１形態を示す。  
この画像情報処理装置は前述の「多機能型」のものである。先ず、原稿の読取りから説明すると、読取られるべき原稿ＯＲは、原稿ガラス１９０上に平面的に定置され、照明ランプＬＰにより主走査方向（図面に直交する方向）に照明されて副走査方向（図の右方）へ照明走査される。照明された原稿部分からの反射光束は、１群のミラー１９１、１９２、１９３により原稿読取モジュール２０１に導光され、同モジュール２０１の受光素子アレイにより信号化される。  
即ち、原稿の読取を行う部分は、図１９に実施の形態を示した原稿読取装置と同じ構成となっている。  
原稿読取モジュール２０１から出力された信号は、コントローラ２０２に入力する。コントローラ２０２は、プログラム制御されるマイクロコンピュータを中心として種々の入出力部を有し、原稿読取装置の一部をなす信号処理手段・画像処理手段を有している。コントローラ２０２はまた装置の各部を制御する。モータ２１０は、装置内の各動作部の駆動原であるが、原稿読取装置における変位手段の一部として、図示されない変位機構を駆動してミラー１９１〜１９３に（図１９に即して説明した）変位を行わせる。
【００５５】
コントローラ２０２は、原稿読取りの際、照明ランプＬＰの点滅の制御も行う。この画像情報処理装置は出力手段として、伝送装置としてのモデム２０４、書込み装置２０３、および記録装置として「電子写真方式の光記録装置」を有する。
【００５６】
上記の如き動作で読取った「原稿画像の情報」をファクシミリで送信したい場合には、図示されない操作パネルにより「ファクシミリ送信」を指令すると、コントローラ２０２は原稿読取モジュール２０１から入力される画像情報を、伝送に適した信号形態に信号処理・画像処理し、モデム２０４を介して伝送する。また、読取った画像情報をフロッピディスクＦＤや光ディスクＣＤに書き込みたい場合には、上記操作パネルにて「書込み」を指令し、フロッピディスクＦＰあるいは光ディスクＣＤを書込み装置２０３にセットする。コントローラ２０２は原稿画像情報を、セットされた「電子記録媒体」に適した信号形態に変換する処理を行い、セットされた電子記録媒体（フロッピディスクＦＤまたは光ディスクＣＤ）に原稿画像情報を書きこむ。
【００５７】
また、原稿画像をプリントする場合には、操作パネルで「複写」を選択する。すると、コントローラ２０２は以下の如くして原稿画像の複写を実行する。  
即ち、コントローラ２０２は、原稿画像情報を光走査装置２０７による光走査に適した信号形態に変換する処理を行う一方、光導電性の感光体２０５を矢印方向へ等速回転させ、その周面を帯電手段２０６（帯電ローラによる接触帯電式のものを示したが、コロナ放電式のものでもよい）により均一に帯電する。  
コントローラ２０２は次いで、光走査装置２０７に画像情報を印加して光走査による書込みを行う。このようにして形成された静電潜像（ネガ潜像）は、現像装置２０８により反転現像されてトナー画像として可視化される。このトナー画像は、転写部において、転写手段２０９（転写ローラによる接触式のものを示したが、転写チャージャを用いる方式のものでも良いし、中間転写ベルト等の中間転写媒体を用いる方式のものでもよい）により転写紙やＯＨＰシート等であるシート状の記録媒体Ｓ上に転写される。
【００５８】
記録媒体Ｓは、定着装置２１１においてトナー画像を定着されて、装置外部へ排出される。トナー画像転写後の感光体２０５は、クリーニング装置２１０により残留トナーや紙粉等を除去される。  
なお、この画像情報処理装置では、外部からモデム２０４を介して入力される画像情報を記録媒体Ｓ上にプリントすることもできるし、フロッピディスクや光ディスクに書込み記録することもでき、また、フロッピディスクや光ディスクの情報を書き込み装置２０３で読取って、モデム２０４を介して外部へ送信したり、あるいは記録媒体Ｓにプリント記録することもできる。
【実施例】
【００５９】
以下、この発明の原稿読取レンズの具体的な実施例をあげる。各実施例とも、収差は十分に補正され、デジタル複写機や上記の如き多機能の画像情報処理装置の原稿読取りに用いるのに十分な性能を有している。
【００６０】
なお、実施例３、７、８、９、１０は、シールドガラスＳＧ（図１１参照）を有する受光素子アレイと組み合わせて用いる場合を想定しており、他の実施例は、シールドガラスを除き、後群で受光素子アレイのパッケージを直接封止する場合（図１２参照）を想定している。  
各実施例における「記号の意味」は以下の通りである。
ｆ：全系の焦点距離
ｍ：倍率
Ｆm：倍率ｍにおける実効Ｆナンバ
（通常のＦＮｏ．×（１＋ｍ）×（入射瞳径/射出瞳径））
Ｙ：最大物体高
Ｒ：曲率半径
Ｄ：面間隔
Ｎd：屈折率（ｄ線）
νd：アッベ数
Ｋ：非球面の円錐定数
Ａ4：４次の非球面係数
Ａ6：６次の非球面係数
Ａ8：８次の非球面係数
Ａ10：１０次の非球面係数
ここで用いられる非球面は、近軸曲率半径の逆数（近軸曲率）をＣ、光軸からの高さをＨとして、周知の次式で定義される。  
Ｘ＝ＣＨ2/［１＋√｛(１-(１＋Ｋ)Ｃ2Ｈ2)｝］
＋Ａ4・Ｈ4＋Ａ6・Ｈ6＋Ａ8・Ｈ8＋Ａ10・Ｈ10
なお、長さの次元を持つ量の単位は「ｍｍ」である。
【００６１】
実施例１
f = 41.08，m = 0.11102，Fm = 4.80，Y = 152.4
面番号        R        D        Nd        νd        備考
01        ∞      3.20    1.51680    64.20    コンタクトガラス  
02        ∞
03      17.300    2.34    1.71300    53.94    第１レンズ
04      62.620    1.80  
05     -43.884    4.84    1.62004    36.30    第２レンズ
06      16.577    2.22  
07      31.300    2.79    1.60311    60.69    第３レンズ
08     -25.973   39.91  
09     -35.734    1.00    1.53046    55.84    第４レンズ
10      ∞
レンズ全長：54.9
バックフォーカス：1.01（レンズ全長の１.８％）
前群と後群との間隔：39.91（レンズ全長の７２．３％）
ｆF/ｆR＝-1.56
実施例１は、全てのレンズ面が球面で構成されている。  
図２２の上図に、実施例１のレンズ構成を示し、下図に収差図を示す。  
収差図におけるＣ、ｅ、Ｆは、それぞれ、Ｃ線、ｅ線、Ｆ線を表し、球面収差の図における破線は「正弦条件」を表す。また、非点収差における破線はメリディオナル光線、実線はサジタル光線を表す。以下の各実施例の収差図においても同様である。
【００６２】
実施例２
f = 39.68，m = 0.11102，Fm = 4.35，Y = 152.4
面番号        R        D        Nd        νd        備考
01        ∞      3.20    1.51680    64.20    コンタクトガラス  
02        ∞      
03      18.136    2.54    1.77250    49.62    第１レンズ
04      99.502    2.14  
05     -43.344    4.40    1.72825    28.32    第２レンズ
06      18.141    1.30  
07      34.251    3.62    1.59551    39.22    第３レンズ
08     -23.307   37.70  
09*    -22.795    1.00    1.53046    55.84    第４レンズ
10      ∞  
非球面：第９面
K=0.0，A4 = 6.16139×10-5，A6 = -2.39719×10-7，A8 = 6.82553×10-10，
A10 = -6.07709×10-13
レンズ全長：52.7
バックフォーカス：1.00（レンズ全長の１．９％）
前群と後群との間隔：37.70（レンズ全長の７１．５％）          
ｆF/ｆR＝-1.01
図２３の上図に、実施例１のレンズ構成を示し、下図に収差図を示す。
【００６３】
実施例３
f = 41.00，m = 0.11102，Fm = 4.40，Y = 152.4
面番号        R        D        Nd        νd        備考
01        ∞      3.20    1.51680    64.20    コンタクトガラス
02        ∞  
03      19.958    2.24    1.74330    49.22    第１レンズ
04      75.700    2.09    
05     -32.834    4.95    1.68893    31.16    第２レンズ
06      22.884    1.52  
07      49.445    3.19    1.80420    46.50    第３レンズ
08     -26.788   36.82  
09*    -16.135    1.00    1.53046    55.84    第４レンズ
10     -36.377    
11        ∞      1.00    1.51680    64.20    シールドガラス
12        ∞    
非球面：第９面
K=0.0，A4 = 5.33596×10-5，A6 = -4.97559×10-9，A8 = -3.08944×10-10，
A10 = 2.95608×10-12
レンズ全長：51.81
バックフォーカス：3.66（空気中換算  レンズ全長の７．１％）
前群と後群との間隔：36.82（レンズ全長の７１％）
ｆF/ｆR＝-1.36
図２４の上図に、実施例１のレンズ構成を示し、下図に収差図を示す。
【００６４】
実施例４
f = 38.90，m = 0.11102，Fm = 4.50，Y = 152.4
面番号        R        D        Nd        νd        備考
01        ∞      3.20    1.51680    64.20    コンタクトガラス
02        ∞      
03*     38.353    6.22    1.84666    23.78    第１レンズ
04*     24.257    4.50  
05      69.817    3.28    1.48749    70.44    第２レンズ
06     -17.301   42.65  
07*    -18.025    2.00    1.53046    55.84    第３レンズ
08        ∞  
非球面：第３面
K=0.0，A4 = -5.31404×10-5，A6 = -1.84115×10-7，A8= -6.12936×10-10，
A10 = 1.35889×10-12
非球面：第４面
K=0.0，A4 = -4.32140×10-5，A6 = -2.17569×10-7，A8 = 3.50371×10-10，
A10 = 8.11068×10-12
非球面：第７面
K = 0.0，A4 = 6.36218×10-5，A6 = -2.74719×10-7，A8 = 1.09686×10-9，
A10 = -1.03521×10-12
レンズ全長：58.65
バックフォーカス：1.00（レンズ全長の１．７％）
前群と後群との間隔：42.65（レンズ全長の７３％）
ｆF/ｆR＝-0.818
図２５の上図に、実施例１のレンズ構成を示し、下図に収差図を示す。
【００６５】
実施例５
f = 61.62，m = 0.18898，Fm = 4.80，Y = 152.4
面番号        R        D        Nd        νd        備考
01        ∞      3.20    1.51680    64.20    コンタクトガラス
02        ∞  
03      35.901    8.00    1.74330    49.22    第１レンズ
04      76.694    2.43  
05     -64.307    8.00    1.68893    31.16    第２レンズ
06      34.790    0.58  
07      54.494    8.00    1.83400    37.34    第３レンズ
08    -319.753    0.10  
09     109.219    8.00    1.48749    70.44    第４レンズ
10*    -45.001   70.04  
11*    -38.671    2.58    1.53046    55.84    第５レンズ
12        ∞  
非球面：第10面
K=0.0，A4 = 3.13841×10-7，A6 = -7.22203×10-10，A8= -4.79523×10-11，
A10 = 1.38768×10-13
非球面：第11面
K=0.0，A4 = 9.80652×10-6，A6 = -1.78814×10-8，A8 = 2.17574×10-11，
A10 = -9.08966×10-15
レンズ全長：107.73
バックフォーカス：1.00（レンズ全長の０．９％）
前群と後群との間隔：70.04（レンズ全長の６５％）
ｆF/ｆR＝-1.03
図２６の上図に、実施例１のレンズ構成を示し、下図に収差図を示す。
【００６６】
実施例６
f = 70.29，m = 0.23622，Fm = 6.22，Y = 152.4
面番号        R        D        Nd        νd        備考
01        ∞      3.20    1.51680    64.20    コンタクトガラス
02        ∞  
03      34.071    3.27    1.60311    60.69    第１レンズ
04     321.127    5.26  
05     -65.711    8.00    1.72342    37.99    第２レンズ
06      38.825    2.45  
07      71.413    8.00    1.69680    55.46    第３レンズ
08     -46.983   89.00  
09*    -42.383    4.29    1.53046    55.84    第４レンズ
10        ∞  
非球面：第９面
K=0.0，A4 = 7.50222×10-6，A6 = -7.35149×10-9，A8 = 5.82164×10-12，
A10 = -1.46608×10-15
レンズ全長：120.27
バックフォーカス：1.01（レンズ全長の０．８％）
前群と後群との間隔：89.00（レンズ全長の７４％）
ｆF/ｆR＝-0.95
図２７の上図に、実施例１のレンズ構成を示し、下図に収差図を示す。
【００６７】
実施例７
f = 73.20，m = 0.23622，Fm = 6.01，Y = 152.4
面番号        R        D        Nd        νd        備考
01        ∞      3.20    1.51680    64.20    コンタクトガラス
02        ∞  
03      37.478    3.44    1.69680    55.46    第１レンズ
04     197.210    7.91  
05     -62.309    8.00    1.71736    29.50    第２レンズ
06      38.767    2.54  
07      67.415    8.00    1.70154    41.15    第３レンズ
08     -46.115   83.36  
09*    -62.269    2.00    1.53046    55.84    第４レンズ  
10*    277.552  
11        ∞      1.00    1.51680    64.20    シールドガラス
12        ∞    
非球面：第９面
K=0.0，A4 = -3.76635×10-6，A6 = 6.30996×10-9，A8 = -1.85384×10-12，
A10 = -5.96053×10-16
非球面：第10面
K=0.0，A4 = -4.68601×10-6，A6 = 1.26013×10-9，A8 = 3.19086×10-12，
A10 = -1.87719×10-15
レンズ全長：115.25
バックフォーカス：4.66（空気中換算  レンズ全長の４．０％）
前群と後群との間隔：83.36（レンズ全長の７２％）
ｆF/ｆR＝-1.14
図２８の上図に、実施例１のレンズ構成を示し、下図に収差図を示す。
【００６８】
実施例８
f = 63.63，m = 0.18898，Fm = 5.01，Y = 152.4
面番号        R        D        Nd        νd        備考
01        ∞      3.20    1.51680    64.20    コンタクトガラス
02        ∞    
03      35.539    4.88    1.48749    70.44    第１レンズ
04     212.293    9.32  
05     -51.136    8.00    1.72825    28.32    第２レンズ
06     516.722    2.35  
07*    310.769    8.00    1.69350    53.34    第３レンズ
08     -42.331    67.10  
09*    -51.910    2.00    1.53046    55.84    第４レンズ
10*    106.745    
11        ∞      1.00    1.51680    64.20    シールドガラス
12        ∞  
非球面：第７面
K=0.0，A4 = -3.66708×10-6，A6 = -1.16532×10-8，A8 = 2.14790×10-10，
A10 = -1.33775×10-12
非球面：第９面
K=0.0，A4 = -1.46868×10-5，A6 = 4.32801×10-8，A8 = -5.35630×10-11，
A10 = 2.59883×10-14
非球面：第10面
K=0.0，A4 = -1.60498×10-5，A6 = 3.08020×10-8，A8 = -2.84394×10-11，
A10 = 1.00585×10-14
レンズ全長：101.65
バックフォーカス：4.66（空気中換算  レンズ全長の４．６％）
前群と後群との間隔：67.10（レンズ全長の６６％）
ｆF/ｆR＝-0.92
図２９の上図に、実施例１のレンズ構成を示し、下図に収差図を示す。
【００６９】
実施例９
f = 41.00，m = 0.11102，Fm = 4.40，Y = 152.4
面番号        R        D        Nd        νd        備考
01        ∞      3.20    1.51680    64.20    コンタクトガラス
02        ∞
03      17.338    2.37    1.77250    49.62    第１レンズ
04      61.199    3.53  
05     -32.820    1.14    1.80518    25.46    第２レンズ
06      20.606    1.38  
07      47.180    5.58    1.83400    37.34    第３レンズ
08     -23.995    31.47  
09*    -14.590    1.00    1.53046    55.84    第４レンズ
10     -26.330  
11        ∞      1.00    1.51680    64.20    シールドガラス
12        ∞    
非球面：第９面
K = 0.0，A4 = 3.57449×10-5，A6 = 2.01006×10-7，A8 = -1.47522×10-9，
A10 = 8.45052×10-12
レンズ全長：46.47
バックフォーカス：6.66（空気中換算  レンズ全長の１４．３％）
前群と後群との間隔：31.47（レンズ全長の６８％）
ｆF/ｆR＝-1.60
図３０の上図に、実施例１のレンズ構成を示し、下図に収差図を示す。
【００７０】
実施例１０
f = 42.25，m = 0.11102，Fm = 4.43，Y = 152.4
面番号        R        D        Nd        νd        備考
01        ∞      3.20    1.51680    64.20    コンタクトガラス
02        ∞
03      18.725    2.15    1.79450    45.39    第１レンズ
04      50.452    1.82  
05     -35.539    5.54    1.72825    28.32    第２レンズ
06      20.467    1.57  
07      33.614    2.92    1.83500    42.98    第３レンズ
08     -29.292    28.43  
09*    -13.555    1.00    1.53046    55.84    第４レンズ
10     -22.209  
11        ∞      1.00    1.51680    64.20    シールドガラス
12        ∞  
非球面：第９面
K = 0.0，A4 = 2.21483×10-5，A6 = 1.77589×10-7，A8 = -1.30330×10-9，
A10 = 1.08288×10-11
レンズ全長：43.43
バックフォーカス：10.66（空気中換算  レンズ全長の２４．５％）
前群と後群との間隔：28.43（レンズ全長の６５％）
ｆF/ｆR＝-1.79
図３１の上図に、実施例１のレンズ構成を示し、下図に収差図を示す。
【００７１】
上に挙げた実施例１〜１０の原稿読取レンズは、原稿画像を読取るためのレンズであって、物体側に前群ＧＦ、像側に後群ＧＲを配してなり、前群ＧＦは、１枚以上の正レンズを含む２〜４枚のレンズで構成され、後群ＧＲは、１枚の負レンズにより構成され、実使用状態におけるバックフォーカスがレンズ全長の３０％以下であり、前群と後群との空気間隔（図１のＣ）がレンズ全長（図１のＡ）の６５％以上であることを特徴とする原稿読取レンズ（請求項１）である。  
また、実施例４の原稿読取レンズは、前群ＧＦが２枚のレンズで構成されたものであり、実施例１、２、３、６〜１０は、前群ＧＦが３枚のレンズで構成されたものであり、実施例５の原稿読取レンズは、前群ＧＦが４枚のレンズにより構成されたものである。  
実施例１の原稿読取レンズは、全レンズが、球面レンズであり、実施例２〜１０の原稿読取用レンズは、１面以上のレンズ面を非球面としたもので、後群ＧＦの入射側面が非球面である（請求項２）。また、実施例７、８の原稿読取レンズでは、後群の像側面が非球面である（請求項３）。
【００７２】
そして、実施例１〜１０の原稿読取レンズは何れも、後群ＧＦがプラスチックレンズであり（請求項４）、実施例１〜８の原稿読取レンズは、実使用状態におけるバックフォーカスが、レンズ全長の１０％以下である（請求項８）。  
また、図２〜図４に示した実施の形態では、後群ＧＦ（ＧＦａ）の外形形状が、光軸に対して回転対称でなく（請求項５）、後群ＧＦ（ＧＦａ）の外形形状が、主走査方向に長い短冊形状であり、図４に示す実施の形態では、後群ＧＦａがプラスチックレンズで、位置決め用、もしくは保持用、もしくは固定用の係合部４１、４２、４３を有する（請求項７）。  
図７〜図８に示した実施の形態は、原稿読取レンズと、この原稿読取レンズの各レンズを保持し、原稿読取レンズ全体を一体化する保持手段とを有し（請求項９）、図５、図７に示す実施の形態では、保持手段が、原稿読取レンズの前群ＧＦを保持する前群保持手段５０と、後群ＧＲを保持する後群保持手段５１と、これら各保持手段を一体化する連結手段５２とを有し、前群保持手段５０が、後群保持手段５１に対して相対的に、光軸方向へ並進変位可能および／または光軸の
回りに回転可能であり、図６に示す実施の形態は、原稿読取レンズの前群ＧＦと後群ＧＲとの間に光路を屈曲させる折り曲げミラーＭを有する原稿読取レンズユニットのものである（請求項９）。
【００７３】
図７に示した実施の形態では、原稿読取レンズの前群ＧＦと後群ＧＲとの間に、像面における主走査方向の像の明るさを補正するためのシェーディング手段７１を有し、このシェーディング手段７１が、所定形状の開口部を有する遮光板である。  
また、図８に即して説明した実施の形態では、折り曲げミラーＭが所定の反射面形状ＭＲを有し、像面における主走査方向の像の明るさを補正するためのシェーディング手段を兼ねている。  
また、図１６、１７に示す実施の形態の「原稿読取レンズユニットの部分」では、保持手段１６０が、前群の各レンズを保持する保持部１６１と、後群ＧＲを取付けられる後群取付け部とを一体に形成されたものである。  
図９、図１１〜図１７に実施の形態を示した原稿読取モジュールは、原稿画像を読取って電気信号化するための原稿読取モジュールであって、原稿読取レンズ（ＧＦ，ＧＲ）と、この原稿読取レンズにより形成される原稿画像の像をサンプリングし、光電変換する受光素子アレイＳＡとを有し（請求項１０）、図１１〜図１４に示す実施の形態では、原稿読取レンズの後群ＧＲと受光素子アレイＳＡとが一体化されている（請求項１１）。
【００７４】
図１２に示す実施の形態では、原稿読取レンズの、実使用状態におけるバックフォーカスが十分に短く、後群ＧＦの像側面が、受光素子アレイＳＡのパッケージＰＫのシールド材を兼ねており（請求項１２）、図１３、図１４に示す実施の形態では、原稿読取レンズの「実使用状態におけるバックフォーカスが実質的に０」であり、受光素子アレイＳＡが後群ＧＲの像側面に直接貼着され（請求項１３）、図１４の実施の形態では、受光素子アレイＳＡの貼着される後群の像側面が非平面である（請求項１４）。  
図１６、１７に示す原稿読取モジュールの実施の形態では、原稿読取レンズの全体が、保持手段１６０により一体化され、原稿読取レンズと保持手段１６０とが原稿読取レンズユニットを構成し（請求項１５）、保持手段１６０が、前群の各レンズを保持する保持部１６１と、後群ＧＲを取付けられる後群取付け部とを一体に形成されたものである（請求項１６）。
【００７５】
原稿読取モジュールにおける保持手段は、図５、図７の場合のように、原稿読取レンズの前群ＧＦを保持する前群保持手段５０と、後群ＧＲを保持する後群保持手段５１と、これら各保持手段を一体化する連結手段５２とを有する構成とすることができ（請求項１７）、このような場合、前群保持手段５０を、後群保持手段５１に対して相対的に、光軸方向へ並進変位可能とすることも（請求項１８）、光軸の回りに回転可能であることもできる（請求項１９、２０）。  
また、原稿読取モジュールにおいても、図６に示したように原稿読取レンズの前群ＧＦと後群ＧＲとの間に「光路を屈曲させる折り曲げミラーＭ」を有することができ（請求項２１）、図７、図８に示したように前群ＧＦと後群ＧＲとの間に、像面における主走査方向の像の明るさを補正するためのシェーディング手段７１を有することができ（請求項２２）、このシェーディング手段７１は、所定の開口形状を有する遮光板である（請求項２３）こともできるし、図８に示したように、所定の反射面形状ＭＲを有する折り曲げミラーＭが、像面における主走査方向の像の明るさを補正するためのシェーディング手段を兼ねることができる（請求項２４）。
【００７６】
図１８および図１９に実施の形態を示した原稿読取装置は、原稿読取レンズＯＲＬによる原稿画像の像を受光素子アレイＳＡ上に結像させ、原稿ＯＲを走査しつつ、原稿画像を読取って電気信号化する原稿読取装置であって、原稿を走査する走査手段と、受光素子アレイと、走査される原稿部分からの光束を、受光素子アレイ上に結像させる原稿読取レンズと、受光素子アレイの出力信号を信号処理する信号処理手段１８５および、信号処理された信号に対して画像処理を行う画像処理手段１８６とを有し、原稿読取レンズとして請求項１〜８の任意の１に記載の原稿読取レンズが用いられる（請求項２６）。  
そして、原稿読取レンズは、請求項９記載の原稿読取レンズユニットとしてユニット化することができ（請求項２７）、また、原稿読取レンズと受光素子アレイとを、請求項１０〜２４の任意の１に記載の原稿読取モジュールとしてモジュール化できる（請求項２８）。
【００７７】
図１８の実施の形態では、原稿ＯＲを走査する走査手段が、定位置に設けられたコンタクトガラス１８０と、このコンタクトガラスの表面に接して原稿を走行させる走行手段１８１、１８２等と、コンタクトガラス上の原稿を主走査方向にわたって照明する照明手段ＬＰとを有し（請求項２９）、図１９に示す実施の形態では、原稿ＯＲを走査する手段が、原稿ＯＲを平面的に定置する原稿ガラス１９０と、原稿ガラス上に定置された原稿を主走査方向にわたって照明する照明手段ＬＰと、この照明手段により照明された原稿部分からの光束を原稿読取レンズへ導光する１群のミラー１９１〜１９３と、照明手段ＬＰを副走査方向に変位させると共に、１群のミラー１９１〜１９３を、照明手段による照明部から原稿読取レンズＯＲＬへの導光の光路長を保って変位させる変位手段とを有する（請求
項３０）。  
また、図１８、図１９に示す実施の形態では、信号処理手段１８５および／または画像処理手段１８６が「読取倍率の調整を電気的に行う機能」を有する（請求項３１）。
【００７８】
従って、図１８、図１９に実施の形態を示した画像読取装置によれば、原稿読取レンズＯＲＬによる原稿画像の像を受光素子アレイＳＡ上に結像させ、原稿ＯＲを走査し、原稿画像を読取って電気信号化する原稿読取方法であって、原稿読取レンズとして請求項１〜８の任意の１に記載の原稿読取レンズを用いる原稿読取方法が実施され（請求項２５）、原稿読取レンズＯＲＬは、請求項９記載の原稿読取レンズユニットとしてユニット化したものを使用でき、原稿読取レンズＯＲＬと受光素子アレイＳＡとを、請求項１０〜２４の任意の１に記載の原稿読取モジュールとしてモジュール化したものを使用できる。  
図１８の実施の形態では、原稿ＯＲの走査を、定位置に設定された原稿照明部において原稿を照明しつつ、原稿照明部に対して原稿ＯＲを走行させることにより行う原稿読取方法が実施され、図１９の実施の形態では、原稿読取レンズＯＲＬから受光素子アレイＳＡまでを固定し、照明手段ＬＰにより原稿ＯＲを主走査方向に照明し、照明手段ＬＰにより照明された原稿部分からの光束を１群のミラー１９１〜１９３により原稿読取レンズＯＲＬへ導光し、照明手段ＬＰを副走査方向に変位させると共に、１群のミラー１９１〜１９３を、照明手段による照明部から原稿読取レンズＯＲＬへの導光の光路長を保って変位させることにより原稿の走査を行う原稿読取方法が実施される。
【００７９】
また、図２０に実施の形態を示した画像情報処理装置は、原稿画像を読取って電気信号化する原稿読取装置と、この原稿読取装置により電気信号化された信号情報を出力するための出力手段１８７とを有する画像情報処理装置で、原稿読取装置として、請求項２６〜３１の任意の１に記載の原稿読取装置を用いるものである（請求項３２）。
【００８０】
そして、出力手段１８６は、画像を表示媒体上にディスプレイするディスプレイ装置であること（請求項３３）も、画像情報を電子的な記録媒体に書き込む書込み装置であるも（請求項３４）、画像情報を伝送する伝送装置であることも（請求項３５）、画像情報を記録媒体にプリント記録する記録装置であること（請求項３６）もでき、記録装置が、インクジェットプリンタであることも、電気写真方式の光記録装置であることもできる。
【００８１】
そして、図２１に実施の形態を示した画像情報処理装置は、出力手段として、請求項３３〜３６の任意の１に記載のものを２以上有するものである。
【図面の簡単な説明】
【００８２】
【図１】この発明の原稿読取レンズを説明するための図である。
【図２】原稿読取レンズの、後群の形状の１例を説明するための図である。
【図３】原稿読取レンズの、後群の形状の別例を説明するための図である。
【図４】原稿読取レンズの、後群の形状の他の例を説明するための図である。
【図５】原稿読取レンズユニット、実施の１形態を説明するための図である。
【図６】原稿読取レンズユニットの、実施の別形態を説明するための図である。
【図７】原稿読取レンズユニットの、実施の他の形態を説明するための図である。
【図８】シェーディング手段を兼ねた折返しミラーを説明するための図である。
【図９】原稿読取モジュールを説明するための図である。
【図１０】受光素子アレイのパッケージを説明するための図である。
【図１１】原稿読取モジュールの実施の１形態を特徴部分のみ示す図である。
【図１２】原稿読取モジュールの実施の別形態を特徴部分のみ示す図である。
【図１３】原稿読取モジュールの、実施の他の形態を特徴部分のみ示す図である。
【図１４】原稿読取モジュールの、実施の他の形態を特徴部分のみ示す図である。
【図１５】原稿読取モジュールの実施の別形態を特徴部分のみ示す図である。
【図１６】原稿読取モジュールの実施の他の形態を特徴部分のみ示す図である。
【図１７】図１８の実施の形態の斜視図である。
【図１８】原稿読取装置の実施の１形態を説明するための図である。
【図１９】原稿読取装置の実施の別形態を説明するための図である。
【図２０】画像情報処理装置の実施の１形態を説明するための図である。
【図２１】複数種類の出力手段を有する画像情報処理装置の実施の１形態を説明するための図である。
【図２２】実施例１に関するレンズ構成と収差を示す図である。
【図２３】実施例２に関するレンズ構成と収差を示す図である。
【図２４】実施例３に関するレンズ構成と収差を示す図である。
【図２５】実施例４に関するレンズ構成と収差を示す図である。
【図２６】実施例５に関するレンズ構成と収差を示す図である。
【図２７】実施例６に関するレンズ構成と収差を示す図である。
【図２８】実施例７に関するレンズ構成と収差を示す図である。
【図２９】実施例８に関するレンズ構成と収差を示す図である。
【図３０】実施例９に関するレンズ構成と収差を示す図である。
【図３１】実施例１０に関するレンズ構成と収差を示す図である。
【符号の説明】
【００８３】
ＧＦ      前群
ＧＲ      後群
ＩＳ      像面
Ｂ      バックフォーカス
【図１】
0004496231.tif 000002
【図２】
0004496231.tif 000003
【図３】
0004496231.tif 000004
【図４】
0004496231.tif 000005
【図５】
0004496231.tif 000006
【図６】
0004496231.tif 000007
【図７】
0004496231.tif 000008
【図８】
0004496231.tif 000009
【図９】
0004496231.tif 000010
【図１０】
0004496231.tif 000011
【図１１】
0004496231.tif 000012
【図１２】
0004496231.tif 000013
【図１３】
0004496231.tif 000014
【図１４】
0004496231.tif 000015
【図１５】
0004496231.tif 000016
【図１６】
0004496231.tif 000017
【図１７】
0004496231.tif 000018
【図１８】
0004496231.tif 000019
【図１９】
0004496231.tif 000020
【図２０】
0004496231.tif 000021
【図２１】
0004496231.tif 000022
【図２２】
0004496231.tif 000023
【図２３】
0004496231.tif 000024
【図２４】
0004496231.tif 000025
【図２５】
0004496231.tif 000026
【図２６】
0004496231.tif 000027
【図２７】
0004496231.tif 000028
【図２８】
0004496231.tif 000029
【図２９】
0004496231.tif 000030
【図３０】
0004496231.tif 000031
【図３１】
0004496231.tif 000032